(57)【要約】      （修正有）【課題】キルティング加工を施して表裏側生地の面部をマス状に区画した掛け布団において、価格を抑えたものでありながら、寝返り等をして動いた場合に、頭側縁部が浮き上がることがなく、掛け布団を布団カバーで覆った状態で使用した場合にカバー内で布団が拠れてしまうこともない品質に優れた掛け布団を提供する。【解決手段】左右両端の区画１ａ、１ｂ内に充填する充填材４ａはフェザーとすることで、保温性や寝心地に優れたものとすると共に、左右中央の区画１ｃに充填される充填材４ｂはダウン５０％以上で残りをフェザーとすることで、価格を抑えたものでありながら左右両端の区画１ａ、１ｂを左右中央の区画１ｃよりも重くして掛け布団のフィット感を高め、使い心地の良い品質に優れたものとした。【選択図】図２
0003193989.tif 000002
【実用新案登録請求の範囲】
【請求項１】
表側生地と裏側生地の外周縁部を縫製すると共に、縦横にキルティングを施して面部をマス状に区画し、該区画内に充填材を充填して構成される掛け布団において、
縦方向、横方向の区画はそれぞれ３区画以上とし、
左右両端の区画内に充填する充填材はフェザーとし、左右中央の区画に充填される充填材はダウン５０％以上で残りをフェザーとして、左右両端の区画を左右中央の区画よりも重くしたことを特徴とする掛け布団。
【考案の詳細な説明】
【技術分野】
【０００１】
本考案は、キルティング加工された表裏の側生地の間に羽毛、羽根、綿等の充填材を充填した掛け布団の技術分野に関するものである。
【背景技術】
【０００２】
一般に、キルティング加工を施すことで表裏側生地を区画し、各区画の間に羽毛、羽根、綿等の充填材を充填することで、充填材が偏らず、布団全体に充填材が満遍なく行き渡るようにした掛け布団が知られている。
【０００３】
そして、この種掛け布団は、一般的に布団全体に同一種類の充填材を充填するものが多く、例えば充填材として羽毛を５０％以上使用した羽毛布団は、とても高価なものとなってしまう。
そこで、羽毛を頭側縁部及び中央部に充填し、その周囲は綿状物を充填することで高価な羽毛の使用量を減らしたものが知られている（例えば、特許文献１）。
【先行技術文献】
【非特許文献】
【０００４】
【非特許文献１】実開昭６４−１５５７５号公報
【考案の概要】
【考案が解決しようとする課題】
【０００５】
しかしながら前記特許文献１のものは、頭側縁部の幅方向全体に羽毛を充填しているため、寝返り等をして動いた場合、羽毛が軽量であるが故に該頭側縁部が浮き上がり、空間ができて寒いといった問題がある。
また、掛け布団の角部分に羽毛が充填されていると、掛け布団を布団カバーで覆った状態で使用した場合にカバー内で布団が拠れてしまうという問題があり、これらに本考案の解決しようとする課題がある。
【課題を解決するための手段】
【０００６】
本考案は、上記の如き実情に鑑みこれらの課題を解決することを目的として創作されたものであって、請求項１の考案は、表側生地と裏側生地の外周縁部を縫製すると共に、縦横にキルティングを施して面部をマス状に区画し、該区画内に充填材を充填して構成される掛け布団において、縦方向、横方向の区画はそれぞれ３区画以上とし、左右両端の区画内に充填する充填材はフェザーとし、左右中央の区画に充填される充填材はダウン５０％以上で残りをフェザーとして、左右両端の区画を左右中央の区画よりも重くしたことを特徴とする掛け布団である。
【考案の効果】
【０００７】
請求項１の考案とすることで、価格を抑えたものでありながら、品質の良い掛け布団とすることができる。
できる。
【図面の簡単な説明】
【０００８】
【図１】掛け布団の斜視図である。
【図２】掛け布団の一部破断斜視図である。
【図３】掛け布団の横断面図である。
【考案を実施するための形態】
【０００９】
次に、本考案の実施の形態について図面に基づいて説明する。図面において、１は掛け布団であって、表裏側生地２、３の外周縁部を縫い合わせて袋状にし、内部に充填材４を充填したものとして構成される。
そして前記掛け布団１は、表裏面部を所定間隔を存して長方形に区画するようにキルティング加工が施されている。本実施の形態において、掛け布団１はシングルサイズのものであって、縦方向に３箇所、横方向に４箇所のキルティング加工を施すことで、縦４列×横５行の２０区画に分けられている。
本実施の形態におけるキルティング加工は、表側生地２と裏側生地３とを直接縫い合わせたシングルキルティング加工ではなく、表側生地２と裏側生地３との間にマチ布５を挟みこんだ状態で縫い合わせた公知の立体キルティング加工を採用している。シングルキルティング加工のものは、キルティング縫製付近の高さがないため、充填材が行き渡らず、また使用しているうちに充填材４が区画中央部分に寄ってしまったり、空気漏れが生じたりして、温かさが損なわれる惧れがある。一方、本実施の形態のもののように立体キルティング加工を施すことによって、キルティング縫製付近にも充填材４を十分に充填させることができて厚みのある温かなものとすることができるだけでなく、充填材の偏りも防ぐことができ、しかも、布団全体に充填材４が行き渡ることとなって空気漏れを防ぐことができて、より快適に使用することができる。勿論、シングルキルティング加工や他の公知のキルティング加工を使用しても本発明が実施できることは言うまでもない。
【００１０】
次に、掛け布団１に充填する充填材４について説明する。本実施の形態において、充填材４は２種類のものを使用する。
まず、区画された掛け布団１の縦方向左右両端一列（左端列１ａ、右端列１ｂ）には、ダウン（羽毛）より重さがあり、通気性、吸湿・放湿性に優れたフェザー（羽根）が第一充填材４ａとして充填されている。
一方、前記両端列１ａ、１ｂ以外の中央列（本実施の形態においては内側２列）１ｃには、保温性に優れると共に、軽くて柔らかく寝心地に優れたダウンが第二充填材４ｂとして充填されている。なお、本実施の形態において、中央列１ｃの第二充填材４ｂはダウン５０％、フェザー５０％の割合で構成されるものを採用しているが、主材料であるダウンが５０％以上を占めるものであれば、ダウンとフェザーの配合は適宜変更することができる。
【００１１】
叙述の如く構成された本考案の実施の形態において、中央列１ｃにのみダウンを使用し、左右両端一列１ａ、１ｂにはダウンより安価なフェザーのみを用いることで、掛け布団１全体としてのダウンの使用量を減らすことで価格を抑えることができるものでありながら、寝た状態で身体が入る中央列１ｃには、羽毛布団と同等の充填材であるダウン（羽毛）を主材料とする第二充填材４ｂを充填することで、睡眠中の保温性、寝心地に優れたものとなって、羽毛布団に引けを取らない掛け布団とすることができる。
しかも、左右両端列１ａ、１ｂにダウンよりも重さがあるフェザー（羽根）を主材料とする第一充填材４ａを充填しているため、布団を掛けたときに首肩部分がしっかりと覆われて保温性のより高いものとすることができるだけでなく、睡眠中の寝返り等の動きによって布団が浮き上がることを防止することができ、フィット感に優れたものとすることができる。さらに、掛け布団１を布団カバーで覆って使用する際に、カバー内での掛け布団１の拠れや偏りを防ぐことができる。
【００１２】
なお、本考案は前記実施の形態に限定されないことは勿論であって、縦横のキルティング加工の区画数は布団のサイズ、デザイン、機能性等によって適宜変更することができることはいうまでもない。例えばダブルサイズの掛け布団において縦５列×横５行の２５区画とした場合、縦方向左右両端一列には第一充填材４ａを、中央列の内側３列には第二充填材４ｂを充填することになる。
【００１３】
また、各区画の幅、大きさについても、全ての区画において同一のものに限定されず、例えば、左右両端列１ａ、１ｂの左右幅を左右中央列１ｃの左右幅よりも小さくしたりするなど、適宜変更することができる。
さらに、充填材は、左右両端列に中央列よりも重さのあるものを採用すればよく、素材、混合割合等を適宜変更することができる。
【産業上の利用可能性】
【００１４】
本考案に係る掛け布団は、表裏側生地にキルティング加工を施し、充填材としてダウンやフェザーを充填した掛け布団の技術分野に利用することができる。
【符号の説明】
【００１５】
１    掛け布団
１ａ  左端列
１ｂ  右端列
１ｃ  中央列
２    表側生地
３    裏側生地
４    充填材
４ａ  第一充填材
４ｂ  第二充填材
【図１】
0003193989.tif 000003
【図２】
0003193989.tif 000004
【図３】
0003193989.tif 000005